(57)【要約】本発明は、データをアーカイブするため方法、システム、およびコンピュータプログラムに関する。アーカイブする必要のあるデータを識別するアナウンス信号がソースシステム（３）から宛先システム（４）へ送信される。宛先システム（４）により受信されたアナウンス信号を識別するフィードバック信号は、宛先システム（４）からソースシステム（３）へ送信される。フィードバック信号より、アナウンス信号が宛先システムにより正しく受信されたか否かが判断される。アナウンス信号が正しく受信されなかったと判断された場合、該アナウンス信号の少なくとも一部がソースシステム（３）から宛先システム（４）へ再送される。アナウンス信号により識別されたデータは、ソースシステム（３）からデータをアーカイブするための宛先システム（４）へ送信される。【選択図】図１
2011509493.tif 000002
【特許請求の範囲】
【請求項１】
アーカイブする必要のあるデータを識別するアナウンス信号をソースシステム（３）から宛先システム（４）へ送信するステップと、
前記宛先システム（４）により受信された前記アナウンス信号を識別するフィードバック信号を前記宛先システム（４）から前記ソースシステム（３）へ送信するステップと、
前記アナウンス信号が前記宛先システム（４）により正しく受信されたか否かを前記フィードバック信号から判断するステップと、
前記アナウンス信号が正しく受信されなかったと判断された場合に、前記宛先システム（４）により正しく受信されなかった前記アナウンス信号の少なくとも一部を前記ソースシステム（３）から前記宛先システム（４）へ再送するステップと、
前記アナウンス信号により識別されたデータを前記アナウンス信号とともに前記ソースシステム（３）から前記データを前記アーカイブするための前記宛先システム（４）へ送信するステップと、を含むことを特徴とする、データをアーカイブするための方法。
【請求項２】
前記宛先システム（４）により正しく受信されなかった前記アナウンス信号の少なくとも一部は、前記アナウンス信号が宛先システム（４）により正しく受信されるまで前記ソースシステム（３）から前記宛先システム（４）へ再送されることを特徴とする、請求項１記載のデータをアーカイブするための方法。
【請求項３】
前記宛先システム（４）にデータがアーカイブされた後、前記宛先システム上にアーカイブされたデータを識別する確認応答信号を前記宛先システム（４）から前記ソースシステム（３）へ送信するとともに、前記宛先システム（４）により正しく受信されなかったデータの少なくとも一部を前記ソースシステム（３）から前記宛先システム（５）へ再送する、請求項１または２記載のデータをアーカイブするための方法。
【請求項４】
前記宛先システム（４）により正しく受信されなかった前記データの部分は、前記データが前記宛先システム（４）により正しく受信されるまで前記ソースシステム（３）から前記宛先システム（４）へ再送される、請求項３記載のデータをアーカイブするための方法。
【請求項５】
前記データは複数の追記多読型装置（ｗｒｉｔｅ−ｏｎｃｅ−ｒｅａｄ−ｍｕｌｔｉｐｌｅ  ｄｅｖｉｃｅ）（１９、２０）にアーカイブされる、請求項１から４までの何れかに記載のデータをアーカイブするための方法。
【請求項６】
同一のデータが複数の追記多読型装置（１９、２０）にアーカイブされる、請求項５記載のデータをアーカイブするための方法。
【請求項７】
前記データが複数の追記多読型装置（１９、２０）に正しくアーカイブされたということを確認した後、確認応答信号がソースシステム（３）に送信される、請求項３および６記載のデータをアーカイブするための方法。
【請求項８】
前記データにはタイムスタンプが割り当てられる、請求項１から７までの何れかに記載のデータをアーカイブするための方法。
【請求項９】
請求項１記載の方法を実行する、データをアーカイブするためのシステムであって、該システムは、
−アーカイブする必要のあるデータを提供するためのソースシステム（３）と、
−前記データをアーカイブするための宛先システム（４）と、
−アーカイブする必要のあるデータを識別するアナウンス信号を送信するとともに、前記アナウンス信号が正しく受信されなかったと判断された場合に、前記宛先システム（４）により正しく受信されなかった前記アナウンス信号の少なくとも一部を前記ソースシステム（３）から前記宛先システム（４）へ再送するための第１の送信手段（７）と、
−前記アナウンス信号を識別するフィードバック信号を前記宛先システム（４）から前記ソースシステム（３）へ送信するための第２の送信手段と、
−前記アナウンス信号が前記宛先システム（４）により正しく受信されたか否かを前記フィードバック信号から判断するための判断手段（１２）と、
−前記アナウンス信号により識別されたデータを前記アナウンス信号とともに前記ソースシステム（３）から前記宛先システム（４）へ送信するための第３の送信手段（１４）と、を含む、システム。
【請求項１０】
アーカイブする必要のあるデータを提供するためのソースシステムであって、該ソースシステムは、
−アーカイブする必要のあるデータを識別するアナウンス信号を送信するとともに、前記アナウンス信号が正しく受信されなかったと判断された場合に、前記データをアーカイブするための宛先システム（４）により正しく受信されなかった前記アナウンス信号の少なくとも一部を、前記ソースシステム（３）から前記宛先システム（４）へ再送するための第１の送信手段（７）と、
−フィードバック信号を前記宛先システム（４）から前記ソースシステム（１３）へ送信するための第２の手段（１０）から送信された前記フィードバック信号から、前記アナウンス信号が前記宛先システム（４）により正しく受信されたか否かを判断するための判断手段（１２）と、
−前記アナウンス信号により識別されたデータを前記ソースシステム（３）から前記宛先システム（４）へ送信するための第３の送信手段（１４）と、を含む、ソースシステム。
【請求項１１】
アーカイブする必要のあるデータを識別するアナウンス信号を受信するための第１の受信手段（８）と、
宛先システム（４）からソースシステム（３）へ、アーカイブする必要のあるデータを識別するアナウンス信号を識別するフィードバック信号を送信する第２の送信手段（１０）と、
前記アナウンス信号とともに、前記アナウンス信号によって識別されたデータを受信する第３の受信手段（１５）と、を備えた、データをアーカイブするための宛先システム。
【請求項１２】
コンピュータ上で実行されると、請求項１記載のステップを実行する、データをアーカイブするためのコンピュータプログラムであって、該コンピュータプログラムは、
−アーカイブする必要のあるデータをソースシステム（３）上に提供するための第１のプログラムコード手段と、
−宛先システム（４）上にデータをアーカイブするための第２のプログラムコード手段と、
−アーカイブする必要のあるデータを識別するアナウンス信号を送信するとともに、前記アナウンス信号が正しく受信されなかったと判断された場合に前記宛先システム（４）により正しく受信されなかった前記アナウンス信号の少なくとも一部を前記ソースシステム（３）から前記宛先システム（４）へ再送するための第３のプログラムコード手段と、
−前記アナウンス信号を識別するフィードバック信号を前記宛先システム（４）から前記ソースシステム（３）へ送信するための第４のプログラムコード手段と、
−前記アナウンス信号が前記宛先システム（４）により正しく受信されたか否かを前記フィードバック信号から判断するための第５のプログラムコード手段と、
−前記アナウンス信号により識別されたデータを前記アナウンス信号とともに前記ソースシステム（３）から前記宛先システム（４）へ送信するための第６のプログラムコード手段と、を含む、コンピュータプログラム。
【発明の詳細な説明】
【技術分野】
【０００１】
本発明は、データをアーカイブするためのシステム、方法およびコンピュータプログラムに関する。
【背景技術】
【０００２】
ソースシステムと宛先システムを含む、データをアーカイブするためのシステムが知られている。アーカイブする必要のあるデータ、特に文書は、データを一意に識別する属性ファイルと共にソースシステムから宛先システムへ送信される。宛先システムは例えば追記多読型装置（ＷＯＲＭ：ｗｒｉｔｅ−ｏｎｃｅ−ｒｅａｄ−ｍｕｌｔｉｐｌｅ）上で受信データをアーカイブする。属性ファイルは宛先システム上のデータを発見するためのキーとして使用される。
【発明の概要】
【発明が解決しようとする課題】
【０００３】
ソースシステムから宛先システムへの属性ファイルの転送中にエラーが発生した場合、宛先システムにより受信された属性ファイルは破損することがあり、その結果、ソースシステムから受信されたデータを宛先システム上にもはや発見できなくなる、すなわち、宛先システム上のデータは失われることがある。
【課題を解決するための手段】
【０００４】
したがって、本発明は、データの完全性の改善をもたらす、データをアーカイブするための方法、システムおよびコンピュータプログラムを提供することを目的とする。
【０００５】
本目的は、アーカイブする必要のあるデータを識別するアナウンス信号をソースシステムから宛先システムへ送信するステップと、宛先システムにより受信されたアナウンス信号を識別するフィードバック信号を宛先システムからソースシステムへ送信して、アナウンス信号が宛先システムにより正しく受信されたか否かをフィードバック信号から判断するステップと、アナウンス信号が正しく受信されなかったと判断された場合に、宛先システムにより正しく受信されなかったアナウンス信号の少なくとも一部をソースシステムから宛先システムへ再送するステップと、アナウンス信号により識別されたデータをソースシステムからデータをアーカイブするための宛先システムへ送信するステップと、を含むデータアーカイブ方法により達成される。
【０００６】
アナウンス信号が宛先システムにより正しく受信されたか否かをフィードバック信号から判断し、そしてアナウンス信号が宛先システムにより正しく受信されなかった場合にアナウンス信号の少なくとも破損した部分がソースシステムから宛先システムへ再送されるので、アナウンス信号が宛先システムにより正しく受信されない確率が低減される。アナウンス信号は、宛先システムでデータを一意に識別するキーとして使用される、すなわち、アナウンス信号は宛先システムでデータを発見するために使用されることが好ましい。したがって、破損したアナウンス信号が発生する確率が低減されるので、破損したキーによるデータ損失の確率は低減され、データの完全性が改善される。
【０００７】
好ましい実施態様によると、宛先システムにより正しく受信されなかったアナウンス信号の少なくとも一部は、アナウンス信号が宛先システムにより正しく受信されるまでソースシステムから宛先システムへ再送される。
【０００８】
アナウンス信号が宛先システムにより正しく受信されるまでアナウンス信号の少なくとも一部が再送されるので、最終的に宛先システムで破損したアナウンス信号の確率はさらに低減され、データの完全性はさらに改善される。
【０００９】
別の実施態様によると、宛先システムにデータがアーカイブされた後、宛先システム上でアーカイブされたデータを識別する確認応答信号を宛先システムからソースシステムへ送信するとともに、宛先システムにより正しく受信されなかったデータの少なくとも一部をソースシステムから宛先システムへ再送する。これによっても、宛先システム上のデータの完全性はさらに改善される。
【００１０】
宛先システムにより正しく受信されなかったデータの部分は、データが宛先システムにより正しく受信されるまでソースシステムから宛先システムへ再送されることが好ましい。これによっても、宛先システム上のデータの完全性はさらに改善される。
【００１１】
さらに好ましくは、同一のデータが追記多読型装置上にアーカイブされる。データはこのような追記多読型装置に１回だけ記録されるので、データを破損されることなく長期間アーカイブすることができる。
【００１２】
さらに好ましくは、同一のデータがいくつかの追記多読型装置上にアーカイブされる。１つの追記多読型装置にアーカイブされたデータが破損されても、そのデータを別の追記多読型装置から読み取ることができるので、データの完全性はさらに改善される。本発明による一実施態様では、データが複数の追記多読型装置に正しくアーカイブされたということを確認した後、確認応答信号がソースシステムに送信される。これによっても、データの完全性はさらに改善される。
【００１３】
上記目的はまた、本発明による方法を実行するためのデータをアーカイブするためのシステムにより達成される。本システムは、
−アーカイブする必要のあるデータを提供するためのソースシステムと、
−データをアーカイブするための宛先システムと、
−アーカイブする必要のあるデータを識別するアナウンス信号を送信するとともに、アナウンス信号が正しく受信されなかったと判断された場合に宛先システムにより正しく受信されなかったアナウンス信号の少なくとも一部をソースシステムから宛先システムへ再送するための第１の送信手段と、
−アナウンス信号を識別するフィードバック信号を宛先システムからソースシステムへ送信するための第２の送信手段と、
−アナウンス信号が宛先システムにより正しく受信されたか否かをフィードバック信号から判断するための判断手段と、
−アナウンス信号により識別されたデータをソースシステムから宛先システムへ送信するための第３の送信手段と、を含む。
【００１４】
好ましくは、データをアーカイブするためのシステムは、本発明によるデータをアーカイブするための方法の上記好ましいステップまたは実施態様の１つまたはいくつかを実行するように適合される。
【００１５】
上記目的はさらに、アーカイブする必要のあるデータを提供するためのソースシステムにより達成される。本ソースシステムは、
−アーカイブする必要のあるデータを識別するアナウンス信号を送信するとともに、アナウンス信号が正しく受信されなかったと判断された場合に、データをアーカイブするための宛先システムにより正しく受信されなかったアナウンス信号の少なくとも一部をソースシステムから宛先システムへ再送するための第１の送信手段と、
−フィードバック信号を宛先システムからソースシステムへ送信するための第２の手段から送信されたフィードバック信号から、アナウンス信号が宛先システムにより正しく受信されたか否かを判断するための判断手段と、
−アナウンス信号により識別されたデータをソースシステムから宛先システムへ送信するための第３の送信手段と、を含む。
【００１６】
データを提供するソースシステムは、本発明によるデータをアーカイブするための方法の上記好ましいステップまたは実施態様の１つまたは複数を実行するように構成されることが好ましい。
【００１７】
上記目的はさらに、データをアーカイブするための宛先システムであって、アーカイブする必要のあるデータを識別するアナウンス信号を識別するフィードバック信号を宛先システムからソースシステムへ送信するための第２の送信手段を含む宛先システムにより達成される。
【００１８】
宛先システムは、本発明によるデータをアーカイブするための方法の好ましいステップまたは実施態様の１つまたは複数を実行するように適合されることが好ましい。
【００１９】
上記目的はさらに、コンピュータ上で実行されると本発明による方法のステップを実行する、データをアーカイブするためのコンピュータプログラムにより達成される。本コンピュータプログラムは、
−アーカイブする必要のあるデータをソースシステム上に提供するための第１のプログラムコード手段と、
−宛先システム上にデータをアーカイブするための第２のプログラムコード手段と、
−アーカイブする必要のあるデータを識別するアナウンス信号を送信するとともに、アナウンス信号が正しく受信されなかったと判断された場合に宛先システムにより正しく受信されなかったアナウンス信号の少なくとも一部をソースシステムから宛先システムへ再送するための第３のプログラムコード手段と、
−アナウンス信号を識別するフィードバック信号を宛先システムからソースシステムへ送信するための第４のプログラムコード手段と、
−アナウンス信号が宛先システムにより正しく受信されたか否かをフィードバック信号から判断するための第５のプログラムコード手段と、
−アナウンス信号により識別されたデータをソースシステムから宛先システムへ送信するための第６のプログラムコード手段と、を含む。
【００２０】
コンピュータプログラムは、本発明によるデータをアーカイブするための方法の好ましいステップまたは実施態様の１つまたはいくつかを実行するように適合されることが好ましい。
【図面の簡単な説明】
【００２１】
【図１】本発明によるデータをアーカイブするためのシステムの概略図である。
【図２】本発明によるデータをアーカイブするための方法を説明するフローチャートである。
【発明を実施するための形態】
【００２２】
本発明について、以下、図面を参照して説明する。
【００２３】
図１は、データをアーカイブするためのシステム１を概略的に示す。本システムは生成システム２、ソースシステム３および宛先システム４を含む。生成システム２は、データ、例えばＷＯＲＤ文書などの文書を生成する。生成システム２は、生成システム２上で生成されたデータをソースシステム３に送信するための送信手段５を含む。ソースシステム３はデータを受信するための受信手段６を含む。ソースシステム３は、受信手段６により生成システム２から受信されたデータに応じてアナウンス信号を発生する。アナウンス信号は好ましくは属性ファイルを含む。属性ファイルは好ましくはデータのファイル、すなわちデータファイル、の名前と、さらに当該データファイルを一意に識別する属性とを含む。例えば、データファイルが例えば航空機を建造するために使用される構造図である文書を含む場合、属性ファイルは、航空機の型式、構造図に示された材料の材料番号等を含むことができる。
【００２４】
ソースシステム３は、アナウンス信号をソースシステム３から宛先システム４に送信するための送信手段７（第１の送信手段）をさらに含む。したがって、属性ファイルはソースシステム３から宛先システム４に送信されることが好ましい。アナウンス信号は宛先システム４の受信手段８により受信される。送信手段７は、アナウンス信号を宛先システム４に送信した後、終了信号を宛先システム４に送信する。また、ソースシステム３から宛先システム４へのアナウンス信号の転送が完了したことを示す終了信号は、受信手段８により受信される。アナウンス信号は宛先システム４のデータバンク９にインポートされる。宛先システム４は、宛先システム４の受信手段８により受信されたアナウンス信号を識別する情報を含むフィードバック信号を生成する。宛先システムは、フィードバック信号を宛先システム４からソースシステム３に送信するための送信手段１０（第２の送信手段）をさらに含む。フィードバック信号はソースシステム３の受信手段１１により受信される。
【００２５】
ソースシステム３は、フィードバック信号により識別されたアナウンス信号がソースシステム３上で生成されたアナウンス信号と同一かどうかを判断するための判断手段１２をさらに含む。例えば、フィードバック信号は、宛先システム４の受信手段８により受信されたアナウンス信号を含むことができる。したがって、フィードバック信号とソースシステム３上で生成されたアナウンス信号とを比較することにより、アナウンス信号が宛先システム４により正しく受信されたか否かを容易に判断することができる。
【００２６】
ソースシステム３は、アーカイブする必要のあるデータをソースシステム３から宛先システム４へ送信するための送信手段１４（第３の送信手段）をさらに含む。データは宛先システム４で受信手段１５により受信される。データはアナウンス信号と共に送信手段１４から受信手段１５に送信される。宛先システム４は、送信手段７から受信手段８に送信されたアナウンス信号と、データと共に送信手段１４から受信手段１５に送信されたナウンス信号とを比較する。これら２つのアナウンス信号が互いに異なる場合、確認応答信号が宛先システムの別の送信手段１６からソースシステム３に送信される。ソースシステム３は確認応答信号を受信するための別の受信手段１７を含む。この場合、確認応答信号は、データおよび／またはアナウンス信号の送信手段１４から受信手段１５への転送中にエラーが発生したことを示す情報を含む。この場合、ソース手段３は、データおよび／またはアナウンス信号を宛先システム３へ再送するように構成することができる。
【００２７】
データをアーカイブするためのシステム１は、データに対し署名を生成するための手段１８をさらに含む。データが文書である場合、署名は、文書毎に、署名を生成するための手段１８により決定される。署名を生成するための手段１８は、データ、特に、文書からハッシュを生成し、ハッシュプログラムを使用することにより、そして暗号化（ＣＲＹＰＴＩＮＧ）プログラムを用いて暗号化（ＣＲＹＰＴＩＮＧ）ハッシュを生成することにより、コンピュータシステムであってよい。暗号化ハッシュは例えば署名である。本発明は、この暗号化ハッシュの生成に制限されない。また、データに対する署名を生成するために他の公知の署名手段および方法を使用してよい。署名を生成するための手段１８は送受信手段２１を介し宛先システム４と通信を行う。
【００２８】
データをアーカイブするためのシステム１は、データを格納するための少なくとも２つの追記多読型装置（ＷＯＲＭ）１９、２０をさらに含む。ＷＯＲＭ１９、２０は送受信手段２２、２３を介し宛先システム４と通信を行う。
【００２９】
次に、本発明によるデータをアーカイブするための方法の実施形態について、図２に示すフローチャートを参照しさらに詳細に説明する。
【００３０】
ステップ１０１では、本実施形態では文書であるデータが生成システム２により生成される。
【００３１】
ステップ１０２では、これらの文書は生成システム２の送信手段５からソースシステム３の受信手段６に送信される。
【００３２】
ステップ１０３では、アーカイブする必要がある文書を一意に識別するアナウンス信号が生成される。このアナウンス信号は、ステップ１０４においてソースシステム３から宛先システム４に送信される。
【００３３】
ステップ１０５では、受信手段８により受信されたアナウンス信号を一意に識別するフィードバック信号が宛先システム４上で生成される。具体的には、フィードバック信号は、受信手段８により受信されたアナウンス信号の複製を含む。ステップ１０６では、フィードバック信号は宛先システム４からソースシステム３に送られ、ステップ１０７では、ソースシステム３は、ステップ１０３のソースシステム３で生成されたアナウンス信号と、ソースシステム３の受信手段１１により受信されたフィードバック信号のアナウンス信号とを比較する。これらのアナウンス信号が同一でない場合、ソースシステム３で生成されたアナウンス信号全体、あるいは宛先システム４の受信手段８により正しく受信されなかったアナウンス信号の部分は、ソースシステム３から宛先システム４へ再送される。すなわち、本発明による方法は、正しくない部分だけが再送されるようにしてステップ１０４を継続することが好ましい。ソースシステム３で生成されたアナウンス信号とフィードバック信号のアナウンス信号が同一である場合、ソースシステム３は宛先システム４に追加のアナウンス信号を送信しない。具体的には、本方法は、宛先システム４が追加のアナウンス信号を所定時間の間待った後、ステップ１０８を続ける。あるいは、送信手段７は、ソースシステム３で生成されたアナウンス信号とフィードバック信号のアナウンス信号が同一であることを示す信号を受信手段８に送信することができ、宛先システム４は、受信手段８がこの信号を受信した後、ステップ１０８を続ける。
【００３４】
ステップ１０８では、ソースシステム３の送信手段１４は、アナウンス信号と共に、アーカイブする必要がある文書を宛先システム４へ送信する。本実施形態では、アナウンス信号は、アーカイブする必要がある文書を一意に識別する追加の属性と、文書のファイル名とを含む。
【００３５】
信号、例えば、アナウンス信号、フィードバック信号、またはデータが転送されると、転送が完了したこととを示す終了信号もまた送信される。
【００３６】
ステップ１０９では文書毎に署名が生成され、ステップ１１０では、署名と共にＷＯＲＭ装置１９、２０に文書がアーカイブされる。ステップ１１１では、文書が各ＷＯＲＭ１９、２０に正しく格納されたか否かが判断される。これは例えば、署名が暗号化ハッシュである場合、それぞれの文書と共にＷＯＲＭにアーカイブされた署名を暗号解除（ｕｎｃｒｙｐｔｉｎｇ）し、そしてそれぞれの文書をハッシュすることにより実行される。それぞれの文書をハッシュすることにより第１のハッシュが生成され、署名を暗号解除することにより第２のハッシュが生成される。第１のハッシュと第２のハッシュが同一であれば、それぞれの文書はＷＯＲＭ上に正しくアーカイブされている。各文書が各ＷＯＲＭ上に正しくアーカイブされた場合、本方法はステップ１１２を続ける。文書がＷＯＲＭ上に正しくアーカイブされなかった場合、ステップ１１０は、その文書と、その文書が正しくアーカイブされなかったＷＯＲＭのみについて繰り返される。
【００３７】
ステップ１１２では、宛先システム４は、どの文書が正しくアーカイブされ、どの文書が正しくアーカイブされなかったかを示す情報を含む確認応答信号を生成する。確認応答信号は、文書が正しくアーカイブされたか否かを文書毎に示す確認応答ファイルを含むことが好ましい。
【００３８】
この確認応答信号は、ステップ１１３において、宛先システム４の送信手段１６からソースシステム３の受信手段１７に送信される。
【００３９】
ソースシステム３の判断手段２４は、宛先システム４に送信されたすべての文書が正しくアーカイブされたか否かを確認応答信号から判断する。さらに、いくつかの文書が正しくアーカイブされなかった場合、判断手段２４はどの文書が正しくアーカイブされなかったかを判断する。本実施形態では、確認応答信号は確認応答ファイルであり、ファイルの各行において、アナウンス信号により通知された文書は属性ファイルの属性により識別される。さらに、各行は、それぞれの行に対応する文書が正しくアーカイブされたか否かを示す情報を含む。したがって、確認応答信号、すなわち、本実施形態では確認応答ファイル、を読み出すことにより、判断手段２４はそれぞれの文書が正しくアーカイブされたか否かを容易に判断することができる。文書が正しくアーカイブされなかった場合、本方法は、正しくアーカイブされなかった文書だけがソースシステム３から宛先システム４へ再送されるステップ１０８を続ける。すべての文書が正しくアーカイブされると、本方法はステップ１１５で終了する。
【００４０】
データをアーカイブするためのシステム１は、本発明による方法のステップを実行するコンピュータプログラムにより制御される。
【００４１】
本発明は、生成システムを含むデータをアーカイブするためのシステムに限定されるものではない。本発明によるデータをアーカイブするためのシステムはまた、ソースシステムと宛先システムだけを含んでもよい。
【図１】
2011509493.tif 000003
【図２】
2011509493.tif 000004
【国際調査報告】
2011509493.tif 000005
2011509493.tif 000006
2011509493.tif 000007
2011509493.tif 000008
2011509493.tif 000009